(57)【要約】【課題】患者等が自己の複数種類の生体情報を簡易且つ漏れなく記憶することができる管理装置等を提供すること。【解決手段】対象者の複数種類の生体情報を管理するための携帯用の装置であって、生体情報計測装置３０と通信可能な距離となったときに通信を開始する通信部１３と、生体情報計測装置から取得した生体情報を、対象者の識別情報と共に関連付けて記憶する生体関連情報記憶部１８と、表示部１１とを備え、少なくとも、生体関連情報の生体情報を識別情報と共に、表示部に表示する構成と共に、通信部は、生体関連情報の対象者を診察する医療従事者が管理する医療従事者端末装置８０と通信可能な距離となったときに通信を開始し、生体関連情報を送信する構成となっている管理装置１０。【選択図】図１
2014119575.tif 000002
【特許請求の範囲】
【請求項１】
複数種類の生体情報計測装置が計測した対象者の複数種類の生体情報を一元管理するための携帯用の管理装置であって、
前記生体情報計測装置と通信可能な距離となったときに通信を開始する通信部と、
前記生体情報計測装置から取得した生体情報を、その対象者の識別情報と共に取得し、関連付けて生体関連情報として記憶する生体関連情報記憶部と、
各種情報を表示する表示部と、時刻情報修正部と、制御部とを備え、
少なくとも、前記生体関連情報の前記生体情報を前記識別情報と共に、前記表示部に表示する構成と共に、前記通信部は、前記制御部の制御により前記生体関連情報の対象者を診察する医療従事者が管理する医療従事者端末装置と通信可能な距離となったときに通信を開始し、前記生体関連情報を送信する構成であり、
前記生体情報計測装置は、計測装置側計時部を有し、前記生体情報計測装置が待機モード又は静置状態にあることを条件に、前記制御部の制御により、前記計測装置側計時部の時刻情報が所定以内にないと判断された場合に、前記制御部の制御により、前記時刻情報修正部を動作させて前記通信部を経て、前記生体情報計測装置の前記計時装置側計時部の時刻を修正する構成となっていることを特徴とする管理装置。
【請求項２】
前記管理装置は、その形状が扁平の小型のカード状を成し、前記生体情報計測装置との通信を行うための非接触ＩＣ（Ｉｎｔｅｇｒａｔｅｄ  Ｃｉｒｃｕｉｔ）（集積回路）を備えていることを特徴とする請求項１に記載の管理装置。
【請求項３】
前記生体情報計測装置と、
前記管理装置と、を含む生体情報管理システムであって、
前記生体情報計測装置は、その計測した対象者の前記生体情報を前記管理装置に送信する前に、当該前記管理装置が目的の前記管理装置であるか否かを判断する構成となっていることを特徴とする請求項１又は請求項２に記載の生体情報取得装置を有する管理システム。
【請求項４】
複数種類の生体情報計測装置が計測した対象者の複数種類の生体情報を管理するための携帯用の生体情報管理方法であって、
前記生体情報計測装置と通信可能な距離となったときに通信を開始する通信部と、
前記生体情報計測装置から取得した生体情報を、その対象者の識別情報と共に取得し、関連付けて生体関連情報として記憶する生体関連情報記憶部と、
各種情報を表示する表示部と、時刻情報修正部と、制御部を備え、
少なくとも、前記生体関連情報の前記生体情報を前記識別情報と共に、前記表示部に表示する構成と共に、前記通信部は、前記制御部の制御により前記生体関連情報の対象者を診察する医療従事者が管理する医療従事者端末装置と通信可能な距離となったときに通信を開始し、前記生体関連情報を送信し、
前記生体情報計測装置は、計測装置側計時部を有し、前記生体情報計測装置が待機モードまたは静置状態にあることを条件に、前記制御部の制御により、前記計測装置側計時部の時刻情報が所定以内にないと判断された場合に、前記制御部の制御により、前記時刻情報修正部を動作させ、前記通信部を経て、前記生体情報計測装置の前記計時装置側計時部の時刻を修正することを特徴とする管理方法。
【発明の詳細な説明】
【技術分野】
【０００１】
本発明は、例えば、看護師等が病院内や在宅患者宅等で体温等の生体情報を体温計等で計測した患者の生体情報を、電子カルテと連動して一元管理可能にするために使用する管理装置、管理システム及び管理方法に関するものである。
【背景技術】
【０００２】
従来より、病院等の医療施設では、患者の生体情報である例えば、計測した体温を記憶する際には、患者ごとに巡回して電子体温計の表示部に表示された体温を看護師等がメモをしたり、読取り装置に記憶させ（例えば、特許文献１）、その後、患者ごとの処方データ等のデータベースに記憶することで管理していた。
また、生体情報測定手段の時刻を修正するシステムが提案されている（例えば、特許文献２）。
【先行技術文献】
【特許文献】
【０００３】
【特許文献１】特許第３７５９７８４号公報
【特許文献２】特許第４８７４０２１号公報
【発明の概要】
【発明が解決しようとする課題】
【０００４】
しかしながら、電子体温計等の生体情報測定装置は電池により駆動されるため、初期設定時や電池交換時において、時刻（年・月・日・時・分）が正しく設定できていない場合、測定された体温等の生体情報が正確な測定日時と共にデータベースに記憶されないという問題があった。【０００５】
そこで、本発明は、患者毎の複数種類の生体情報（少なくとも体温を含む）を簡易且つ漏れなく、患者毎に対応付けして、正しい測定時刻（年・月・日・時・分）とともに記憶することができ、電子カルテと連動して一元管理可能な管理装置、管理システム及び管理方法を提供することを目的とする。
【課題を解決するための手段】
【０００６】
上記目的は、本発明にあっては、複数種類の生体情報計測装置が計測した対象者の複数種類の生体情報を一元管理するための携帯用の管理装置であって、前記生体情報計測装置と通信可能な距離となったときに通信を開始する通信部と、前記生体情報計測装置から取得した生体情報を、その対象者の識別情報と共に取得し、関連付けて生体関連情報として記憶する生体関連情報記憶部と、各種情報を表示する表示部と、時刻情報修正部と、制御部とを備え、少なくとも、前記生体関連情報の前記生体情報を前記識別情報と共に、前記表示部に表示する構成と共に、前記通信部は、前記制御部の制御により前記生体関連情報の対象者を診察する医療従事者が管理する医療従事者端末装置と通信可能な距離となったときに通信を開始し、前記生体関連情報を送信する構成であり、前記生体情報計測装置は、計測装置側計時部を有し、前記生体情報計測装置が待機モードまたは静置状態にあることを条件に、前記制御部の制御により、前記計測装置側計時部の時刻情報が所定以内にないと判断された場合に、前記制御部の制御により、前記時刻情報修正部を動作させて前記通信部を経て、前記生体情報計測装置の前記計時装置側計時部の時刻を修正する構成となっていることを特徴とする管理装置により達成される。【０００７】
前記構成によれば、管理装置は、生体情報計測装置と通信可能な距離となったときに通信を開始する通信部と、生体情報計測装置から取得した生体情報を、その対象者の識別情報と共に取得し、関連付けて生体関連情報として記憶する生体関連情報記憶部と、を有している。
このため、管理装置は、体温等の生体情報等を計測する生体情報計測装置と通信可能な距離に配置するだけで、自動的に、当該生体情報計測装置から当該対象者の識別情報と共に、生体情報を取得でき、生体関連情報として生体関連情報記憶部に記憶することができる。また、計測装置側計時部の時刻情報の狂いを適宜修正するので、生体情報計測装置が生体情報を計測した時刻情報を常に正確な状態とすることができる。
したがって、対象者は各生体情報計測装置で自己の生体情報を計測すると共に、併せて、その生体情報を管理装置に記憶させることができる。このため、生体情報計測装置で計測した生体情報を別の手段でメモ等をすることなく、自動的に記憶させることができる。したがって、患者等が自己の複数種類の生体情報を簡易且つ漏れなく記憶することができる。【０００８】
好ましくは、前記管理装置は、その形状が扁平の小型のカード状を成し、前記生体情報計測装置との通信を行うための非接触ＩＣ（Ｉｎｔｅｇｒａｔｅｄ  Ｃｉｒｃｕｉｔ）（集積回路）を備えていることを特徴とする。【０００９】
前記構成によれば、管理装置は、その形状が扁平の小型のカード状を成している。このため、この管理装置を携帯する例えば、患者等はその服のポケット等に、管理装置を入れて持ち運ぶことができ、極めて扱い易い形状となっている。
また、管理装置は、生体情報計測装置との通信を行うための非接触ＩＣを備えている。このため，使用者である患者等は、カード状の管理装置を、そのポケット等から取り出して、生体情報計測装置に近接させるだけで自動的に通信を開始することができる。したがって、患者等が自己の複数種類の生体情報を簡易且つ漏れなく記憶することができる。【００１０】
好ましくは、前記生体情報計測装置と、前記管理装置と、を備える生体情報管理システムであって、前記生体情報計測装置は、その計測した対象者の前記生体情報を前記管理装置に送信する前に、当該前記管理装置が目的の前記管理装置であるか否かを判断する構成となっていることを特徴とする。【００１１】
前記構成によれば、生体情報計測装置は、その計測した対象者の生体情報を管理装置に送信する前に、当該管理装置が特定の患者等の管理装置等の目的の生体情報取得装置であるか否かを判断する構成となっているので、他の患者などの権限のない管理装置に誤って生体情報を送信することがない。【００１２】
前記構成によれば、生体情報計測装置は、計測装置側計時部を有し、管理装置は、計測装置側計時部の時刻情報を修正する構成となっているので、計測装置側計時部の時刻情報の狂いを適宜修正するので、生体情報計測装置が生体情報を計測した時刻情報を常に正確な状態とすることができる。【００１３】
前記目的は、本発明による、複数種類の生体情報計測装置が計測した対象者の複数種類の生体情報を管理するための携帯用の生体情報管理方法であって、前記生体情報計測装置と通信可能な距離となったときに通信を開始する通信部と、前記生体情報計測装置から取得した生体情報を、その対象者の識別情報と共に取得し、関連付けて生体関連情報として記憶する生体関連情報記憶部と、各種情報を表示する表示部と、時刻情報修正部と、制御部とを備え、少なくとも、前記生体関連情報の前記生体情報を前記識別情報と共に、前記表示部に表示する構成と共に、前記通信部は、前記制御部の制御により前記生体関連情報の対象者を診察する医療従事者が管理する医療従事者端末装置と通信可能な距離となったときに通信を開始し、前記生体関連情報を送信する構成され、前記生体情報計測装置は、計測装置側計時部を有し、前記生体情報計測装置が待機モードまたは静置状態にあることを条件に、前記制御部の制御により、前記計測装置側計時部の時刻情報が所定以内にないと判断された場合に、前記制御部の制御により、前記時刻情報修正部を動作させ、前記通信部を経て、前記生体情報計測装置の前記計時装置側計時部の時刻を修正することを特徴とする管理方法により達成される。
【発明の効果】
【００１４】
以上説明したように、本発明によれば、患者毎の複数種類の生体情報（少なくとも体温，血圧を含む）を簡易且つ漏れなく、正しい測定時刻（年・月・日・時・分）とともに記憶することができ、病院等の医療機関の電子カルテと連動して一元管理可能な管理装置、管理システム及び管理方法を提供することができる。
【図面の簡単な説明】
【００１５】
【図１】本発明の管理システムを示す概略図である。
【図２】図１のＩＣカードの主な構成を示す概略ブロック図である。
【図３】図１の体温計の主な構成を示す概略ブロック図である。
【図４】図１の医師端末の主な構成を示す概略ブロック図である。
【図５】図１の病院サーバの主な構成を示す概略ブロック部である。
【図６】患者による体温の計測工程を示す概略フローチャートである。
【図７】患者による体温の計測工程を示す他の概略フローチャートである。
【図８】病院におけるＩＣカード１０の動作等を示す概略フローチャートである。
【発明を実施するための形態】
【００１６】
以下、この発明の好適な実施の形態を、添付図面等を参照しながら、詳細に説明する。
【００１７】
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明における患者の生体情報や処方情報を一元管理する管理システムである例えば、管理システム１を示す概略図である。
図１に示すように、管理システム１は、管理装置である、例えば、ＩＣカード１０を有している。
ＩＣカード１０は、ＩＣ（Ｉｎｔｅｇｒａｔｅｄ  Ｃｉｒｃｕｉ）（集積回路）及びアンテナ等を備えており、非接触ＩＣカードとなっている。
すなわち、これらＩＣ及びアンテナ等が、通信部の一例となっている。
また、ＩＣカード１０は、図１に示すように、表示部である例えば、カード側ディスプレイ１１を有している。
そして、ＩＣカード１０は、全体が扁平な板状の小型のカードとなり、看護師等が制服等のポケット等に容易に収容でき、携帯が容易な形状となっている。
【００１９】
また、管理システム１は、図１に示すように、生体情報計測装置である例えば、体温計３０を少なくとも含み、さらにパルスオキシメータ５０、血圧計６０、血糖計７０、水分計（不図示）、心電計（不図示）、歩数計（不図示）等を有している。
すなわち、体温計３０は、対象者である例えば、患者の生体情報である例えば、体温を計測する医療機器である。また、パルスオキシメータ５０は、プローブを患者の指先や耳に付けて生体情報である例えば、脈拍数、経皮的動脈血酸素飽和度（ＳｐＯ２）をモニターする医療機器である。
そして、血圧計６０は、患者の生体情報である例えば、血圧値を計測する医療機器であり、血糖計７０は、患者の生体情報である例えば、血糖値を計測する医療機器である。
これら、体温計３０、パルスオキシメータ５０、血圧計６０、血糖計７０は、電池が駆動電源となっていて、パルスオキシメータ５０、血圧計６０、血糖計７０は、電池交換が可能となっている（体温計３０場合は、電池交換可能なものや電池交換が不可能なものがある）。
【００２０】
また、好ましくは、体温計３０，パルスオキシメータ５０、血圧計６０、血糖計７０は、それぞれ待機モードを備え、体温，脈拍数，経皮的動脈血酸素飽和度（ＳｐＯ２），血圧，血糖が測定、記憶された後は、これらの値がＩＣカード１０で読み取られるまでは、計測装置制御部の制御により、測定、記憶される電力よりも省電力な待機モード（生体情報の測定時よりも低消費電力）で駆動されるようになっている。
また、体温計３０，パルスオキシメータ５０、血圧計６０、血糖計７０は、好ましくは、それぞれ３軸加速度センサ（不図示）を備えることで静置状態（生体情報の計測状態にない状態）にあるか否かが分かるようになっている。
【００２１】
本実施の形態では、在宅での対象者（患者）あるいは病院内の対象者（患者）に対して、これら体温計３０、パルスオキシメータ５０、血圧計６０、血糖計７０を使用して、体温、脈拍数等、血圧値、血糖値を計測することとなる。
そして、これら体温計３０、パルスオキシメータ５０、血圧計６０、血糖計７０は、近距離通信のための「リード／ライド」装置をそれぞれ有している。
このため、上述のＩＣカード１０が、これら体温計３０等に近接すると、「近距離通信」による通信が可能となる構成となっている。
【００２２】
「近距離通信」の例として、電磁誘導によるデータ送受信について説明する。例えば、〜１０ｃｍ程度までの近距離の非接触通信手段（例えば、ＩＳＯ／ＩＥＣ  １４４４３の省電力ＩＣ通信技術、ＩＳＯ／ＩＥＣ  １８０９２の通信技術、ＦｅｌｉＣａ（ソニー（株）の登録商標））、Ｂｌｕｅｔｏｏｔｈ（Ｂｌｕｅｔｏｏｔｈ  ＳＩＧの登録商標）等
の通信技術等も適用できる。
ＦｅｌｉＣａの通信技術では、１３．５６ＭＨｚの電波で通信し、１０ｃｍ程度までのごく近距離で非接触に１００〜４００ｋｂｐｓの通信が行なわれる。Ｂｌｕｅｔｏｏｔｈでは、２．４５ＧＨｚ帯の電波を利用し、最高２４Ｍｂｐｓの速度で通信を行うことができる。
【００２３】
本実施の形態では、ＩＣカード１０は、体温計３０、パルスオキシメータ５０、血圧計６０、血糖計７０から、体温，脈拍数，経皮的動脈血酸素飽和度（ＳｐＯ２）、血圧、血糖を個別に読取るようにするため、〜１０ｃｍ程度までの近距離の非接触通信手段（ＩＳＯ／ＩＥＣ  １４４４３の省電力ＩＣ通信技術，ＩＳＯ／ＩＥＣ  １８０９２の通信技術、ＦｅｌｉＣａ）により行うようにしている。
【００２４】
したがって、本実施の形態では、在宅での患者の場合、患者が自宅等で体温計３０等の計測結果を体温計３０等から取得する場合には、自己のＩＣカード１０を体温計３０等に近づけるだけで、両者間で自動的に通信が開始され、その生体情報、例えば、体温がＩＣカード１０に送信される構成となっている。
また、体温等の生体情報は、ＩＣカード１０のカード側ディスプレイ１１に表示される構成となっている。
また、このカード側ディスプレイ１１には、当該患者の体温の情報のみならず、その患者の体温を計測した時刻情報も併せて表示される構成となっている。
【００２５】
＜在宅患者での使用例＞
以下、生体情報が体温である場合を例にして詳細に説明する。患者は、自己のＩＣカード１０を携帯していれば、自宅で自己が計測した体温等を容易且つ漏れなく記憶することができる。
また、ＩＣカード１０は、病院等に配置される医療従事者端末装置である例えば、医師端末８０とも通信可能な構成となっている。すなわち、通院時に患者がＩＣカード１０を病院や診療所等まで持参して、図１に示すように、医師端末８０が備える「医師端末側リード／ライト装置８１」にＩＣカード１０を近接させることで通信可能な構成となっている。
【００２６】
また、この医師端末８０は、図１に示すように，各種データを蓄積する病院サーバ１００とも通信可能な構成となっている。病院サーバ１００の構成についての詳細は、後述する。
【００２７】
本実施の形態の管理システム１では、ＩＣカード１０内に蓄積した患者の体温等の生体情報を、担当医師等の医師端末８０に送信でき、医師端末８０を操作することで、担当医師は、当該患者のデータを迅速且つ容易に確実に取得することができる。また、医師端末８０が取得した体温等の生体情報は、患者毎の電子カルテを含む病院サーバ１００に患者毎に記憶させることができる構成ともなっている。
【００２８】
以下、管理システム１を、患者（介護者や乳幼児にあっては保護者の場合もある）等が自宅内等でＩＣカード１０を携帯して、体温計３０で体温計測された体温情報を取得することを例に、詳細に説明する。説明の便宜上、他の血圧値や血糖値等の計測については記載していないが、本発明がこれらを含むものであることは勿論である。
【００２９】
図１に示すＩＣカード１０、体温計３０、パルスオキシメータ５０、血圧計６０及び血糖計７０、医師端末８０及び病院サーバ１００は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００３０】
図２は、図１のＩＣカード１０の主な構成を示す概略ブロック図である。
図２に示すように、ＩＣカード１０は、「カード制御部１２」を有し、上述のＩＣ及びアンテナ等を含む通信部である「カード側通信装置１３」や上述の「カード側ディスプレイ１１」を制御する構成となっている。
また、カード制御部１２は、各種情報やイベント情報等を入力するための「カード側情報入力装置１５」や、好ましくは電波時計（不図示）を備えることで正確な時刻（年・月・日・時・分）情報を生成する「カード側計時装置１６」も制御する構成となっている。各種情報やイベント情報等としては、治療情報，投薬（処方）情報（処方された薬剤名，用法，用量等），発熱，インフルエンザ，ノロウイルス等感染症の情報等がある。
また、カード制御部１２は、図２に示す各種記憶部や情報処理部（プログラム）等も制御しているが、これらの具体的な内容については、後述する。
【００３１】
図３は，図１の電池（不図示）で駆動される、生体情報測定装置である体温計３０の主な構成を示す概略ブロック図である。
図３に示すように、体温計３０は、計測装置制御部である、「体温計制御部３１」を有し、体温計３０への電源のＯＮ／ＯＦＦを行う計測装置電源スイッチである、「体温計電源スイッチ３２」、各種情報を表示する計測装置側ディスプレスである、「体温計側ディスプレイ３３」、各種情報を入力する計測装置側情報入力装置である、「体温計側情報入力装置３４」や、上述のＩＣカード１０と通信するための計測装置側リード／ライト装置である、「体温計側リード／ライト装置３５」を制御している。
また、体温計側制御部３１は、体温を測定する機能を発揮する計測装置側本体装置である、「体温計側本体装置３６」や、時刻情報を生成する計測装置側計時部である例えば、計測装置側計時装置である、「体温計側計時装置３７」等も制御する構成となっている。
なお、体温計制御部３１は、図３に示す各種記憶部や情報処理部（プログラム）等を制御しているが、これらの具体的な内容については、後述する。
【００３２】
図４は、図１の医師端末８０の主な構成を示す概略ブロック図である。
図４に示すように、医師端末８０は、「医師端末制御部８２」を有し、図１の「病院サーバ１００」と通信等するための「医師端末側通信装置８３」や上述の「医師端末側リード／ライト装置８１」、各種情報を表示する「医師端末側ディスプレイ８４」及び各種情報を入力する「医師端末側情報入力装置８５」等を制御する構成となっている。
なお、医師端末制御部８３は、図４に示す情報処理部（プログラム）等を制御しているが、これらの具体的な内容については、後述する。
【００３３】
図５は、図１の病院サーバ１００の主な構成を示す概略ブロック部である。
図５に示すように、病院サーバ１００は、「病院サーバ制御部１０１」を有し、図１の「医師端末８０」と通信等するための「病院サーバ側通信装置１０２」、各種情報を表示する「病院サーバ側ディスプレイ１０３」及び各種情報を入力する「病院サーバ側情報入力装置１０４」、「病院サーバ側患者ＩＤ情報記憶部１０５」、病院サーバ側計測生体情報報記憶部である「病院サーバ側計測体温情報記憶部１０６」、「病院サーバ側治療・投薬等情報記憶部１０７」等を制御する構成となっている。
なお、「病院サーバ側患者ＩＤ情報記憶部１０５」、「病院サーバ側計測体温情報記憶部１０６」、「病院サーバ側治療・投薬等情報記憶部１０７」は、患者毎の「電子カルテ１０９」を構成している。
なお、病院サーバ制御部１０１は、図５に示す各種情報記憶部等を制御しているが、これらの具体的な内容については、後述する。
【００３４】
なお、ＩＣカード１０から直接病院サーバ１００に、体温、ＳｐＯ２、血圧、血糖等の生体情報を患者ＩＤとともに記憶させるようにしてもよい。こうすることで、ＩＣカード１０を担当医師のもとに持参する必要がなくなる。
この場合、体温が所定値（例えば、３８℃）以上，ＳｐＯ２が所定値（例えば９２％）以下の場合、アラームを発生させ、病院サーバ１００から「医師端末側ディスプレイ８４」を制御して、表示させ、患者ＩＤ情報（氏名，年齢等を含む）と共に、当該患者の体温，ＳｐＯ２等の生体情報と併せて表示させ、「医師端末側情報入力装置８５」を制御して、当該医師が、診断、対処方法（薬剤の処方）等のコメントを入力し、当該患者の「電子カルテ１０９」に書き込めるようにする。
ＩＣカード１０は、患者が病院サーバ１００にアクセスして、ＩＣカード１０に患者ＩＤを入力することで、当該医師による診断、対処方法（薬剤の処方）等のコメントが入力された「電子カルテ１０９」を確認できるようにしもよい。
【００３５】
図６乃至図８は、本発明の実施の形態に係る「管理システム１」の動作例を、生体情報測定装置である体温計３０を使用する場合を例として示す概略フローチャートである。
本実施の形態では、患者（介護者や乳幼児にあっては保護者の場合もある）等が自宅あるいは外出時等でＩＣカード１０を所持して体温計３０（外出時には持参）による検温結果（体温）を取得し、その体温を、測定された正しい時刻（年・月・日・時・分）とともに読取る場合を例に説明する。
【００３６】
先ず、患者等は、図１の「ＩＣカード１０」を自己の服等のポケット等に収納した状態で、体温計３０により測定した体温を読取る。図６及び図７は、患者（介護者や乳幼児にあっては保護者の場合もある）による体温の計測工程を示す概略フローチャートである。
先ず、ステップＳＴ（以下「ＳＴ」とする）１では、体温計３０の図３に示す「体温計電源スイッチ３２」がＯＮ状態となっているか否かを判断し、ＯＮ状態であれば、ＳＴ２へ進む。
【００３７】
ＳＴ２では、体温計３０は、図３の「体温計側使用者ＩＤ記憶部３８」を参照し，当該体温計を使用する患者の識別情報である例えば、「使用者ＩＤ」が記憶されているか否かを判断する。
ＳＴ２で、「体温計側使用者ＩＤ記憶部３８」に患者の「使用者ＩＤ」が登録されていないときは、体温計３０は、登録手続の画面を「体温計側ディスプレイ３３」に表示し、「使用者ＩＤ」を登録させる（ＳＴ３）。また、既に「使用者ＩＤ」について登録があった場合でも、その「使用者ＩＤ」の変更登録も行わせることができる。
【００３８】
次いで、ＳＴ４へ進む。ＳＴ４では、図３の「体温計側本体装置３６」が体温の計測を実施したか否かが判断される。
すなわち、患者が体温計３０を使用して、体温の測定を行ったか否かが判断される。具体的には、患者が体温計３０の検温部を脇下等に配置して体温を計測する。
【００３９】
ＳＴ４で、体温の計測が実施され、体温の温度が特定されると、ＳＴ５へ進む。
ＳＴ５では、図３の「体温情報処理部（プログラム）３９」が動作し、「体温計測本体装置３６」が測定した体温情報（例えば、３７°Ｃ）と、この体温を計測したときの時刻情報を図３の「体温計側計時装置３７」から特定し、これらを関連付けると共に、計測装置側患者ＩＤ情報記憶部である「体温計側使用者ＩＤ記憶部３８」の「使用者ＩＤ」と関連付けて、図３の「計測体温情報記憶部４０」に記憶させる。
【００４０】
したがって、体温計３０は、自己が計測した体温の数値（３７°Ｃ等）と、計測時刻、並びに、計測した患者の「使用者ＩＤ」の情報が関連付けられた情報として記憶されることになる。
【００４１】
次いで、患者等は自己がポケットに収納している「ＩＣカード１０」を取り出し、体温が計測された体温計３０に近接させる。
すると、ＳＴ６へ進む。ＳＴ６では、体温計３０が待機モード（待機状態）にあることを条件に、電磁誘導により、ＩＣカード１０のカード側通信装置１３と、体温計３０の体温計側リード／ライト装置３５とが通信状態となったか否かを判断する。
ＳＴ６で、両者が通信状態であると判断したときは、ＳＴ７に進み、ＩＣカード１０は、図２の「カード側患者ＩＤ情報記憶部１７」に記憶されている、当該患者の「患者ＩＤ」を体温計３０へ送信する。
【００４２】
次いで、ＳＴ８で、体温計３０は、受信した「患者ＩＤ」と、体温計３０が有する図３の「体温計側使用者ＩＤ情報記憶部３８」を参照し、体温計３０を使用した患者と、ＩＣカード１０の使用者である患者が同一であるか否かを判断する。
したがって、同じ家に住む他の家族の体温等を誤って同一の患者の体温情報として取得することを未然に防ぐことができる。
すなわち、体温計３０は、受信した「患者ＩＤ」と、「体温計側患者ＩＤ情報記憶部３８」の使用者ＩＤとが一致するか否かを判断し、一致した場合は、同一人とし、一致しない場合は、別人とする。
この判断は、具体的には、図３の「患者ＩＤ判断処理部（プログラム）４１」が実行する。
【００４３】
ＳＴ８で、患者ＩＤが一致した場合のみ、体温計３０は、図３の「計測体温情報記憶部４０」内の「計測体温情報」をＩＣカード１０へ送信する（ＳＴ９）。
このように、本実施の形態では、別人である患者に、当該患者の体温情報等を誤って送信することがない構成となっている。
【００４４】
次いで、ＳＴ１０へ進む。ＳＴ１０では、ＩＣカード１０は、体温計３０から受信した「計測体温情報」を生体関連情報記憶部である例えば、「カード側計測体温情報記憶部１８」に記憶する。
したがって、本実施の形態では、ＩＣカード１０に、当該患者が計測した体温等の生体情報のみを時刻（年・月・日・字・分）情報等と共に記憶することができ、また、この記憶はＩＣカード１０を体温計３０に近づけるだけで足りるので、極めて容易に体温情報等を記憶させることができる。
【００４５】
次いで、ＳＴ１１へ進む。ＳＴ１１では、ＩＣカード１０の「使用者氏名検索処理部（プログラム）１９」が動作して、体温計３０から受信した、カード側計測生体情報記憶部である、「カード側計測体温情報記憶部１８」の「カード側計測体温情報」に含まれている当該患者の「使用者ＩＤ」を抽出し、この「使用者ＩＤ」をキーに「使用者ＩＤ／氏名対応情報記憶部２０」を検索する。
この「使用者ＩＤ／氏名対応情報記憶部２０」には、「使用者ＩＤ」と対応する「氏名」の情報が記憶されている。
このため、この「使用者ＩＤ」をキーに「使用者ＩＤ／氏名対応情報記憶部２０」を検索することで、当該「使用者ＩＤ」に対応する患者の「氏名情報」を得ることができる。
【００４６】
このようにして取得した患者の「氏名」を、ＩＣカード１０の「カード側ディスプレイ１１」に他の「体温情報」や「計測時間情報」と共に表示する。
【００４７】
したがって、カード側ディスプレイ１１の表示を視認した当該患者の担当の看護師等の医療従事者は、当該体温情報の内容を確認することができると共に、当該体温情報が当該患者の情報か否かを確認することもできる。
【００４８】
特に、本実施の形態では「カード側ディスプレイ１１」には、患者の番号等ではなく「氏名」が表示されるので、より容易に確認をすることができる構成となっている。
【００４９】
なお、本実施の形態では、患者の使用者ＩＤを番号等とし、受信したＩＣカード１０が、この番号等を患者の「氏名」に変換していたが、本発明は、これに限らず、ＩＣカード１０が、「患者ＩＤ」に対応する「氏名」情報を有し、この氏名情報を「カード側ディスプレイ１１」に表示する構成としても構わない。
【００５０】
次いで、ＳＴ１２へ進む。ＳＴ１２では、ＩＣカード１０の図２の「時刻比較処理部（プログラム）２１」が動作して、ＩＣカード１０が、体温計３０の「体温計側計時装置３７」から「現在時刻情報」を取得し、図２の「カード側計時装置１６」の「現在時刻情報」と比較する。
【００５１】
そして、ＳＴ１３へ進む。ＳＴ１３では、体温計３０から取得した「現在時刻情報」とＩＣカード１０の「現在時刻情報」との差が「一定範囲内」であるか否かを判断する。
【００５２】
そして、ＳＴ１３で、時刻（年・月・日・時・分）の差が「一定範囲内」でない場合（例えば、「分」が１分以内でない場合）は、計測装置側計時部である、体温計３０の「体温計側計時装置３７」の時刻に狂いが生じている判断して、ＳＴ１４へ進む。
【００５３】
ＳＴ１４では、ＩＣカード１０の「時刻情報修正部（プログラム）２２」等が動作し、体温計３０の「体温計側計時装置３７」の時刻（年・月・日・時・分）情報を修正する。
このような時刻修正は、パルスオキシメータ５０、血圧計６０、血糖計７０の駆動電源である電池を交換した後にも行うようにしている。
【００５４】
これにより、体温計３０は、常に、体温の計測の時刻（年・月・日・時・分）を正確にすることができ、その体温情報の精度を高めることができる。
なお、体温計３０に電波時計を設けておく場合、時刻修正する必要がなくなるが、消費電力が大きくなり、筺体が大きくなり、コストが高くなる。
【００５５】
以上で、患者等は、計測した体温情報や図１に示すパルスオキシメータ５０の脈拍値、血圧計６０の血圧値及び血糖計７０の血糖値等の情報を、その測定時刻情報及び患者ＩＤ情報（使用者ＩＤ情報）等と共に関連付けて、携帯するＩＣカード１０に記憶させることができる。
しかも、それは，上述のように、ＩＣカード１０を体温計１０、パルスオキシメータ５０、血圧計６０及び血糖計７０に近接させるだけよいので、極めて簡単であり、記憶漏れが生じ難い構成となっている。
【００５６】
図８は、患者等がＩＣカード１０を持参した後のＩＣカード１０の動作等を示す概略フローチャートである。
病院等の医療機関に着いて、担当医師等の診察を受ける当該患者は、自己が携帯している自己のＩＣカード１０を図１の担当医師の医師端末８０の医師端末側リード／ライト装置８１に近接させる。
病院等の医療機関に出向いて、そこで担当医師等の診察を受ける当該患者は、自己が携帯している自己のＩＣカード１０を、図１の担当医師の医師端末８０の医師端末側リード／ライト装置８１に近接させる。
【００５７】
すると、ＳＴ２１へ進む。ＳＴ２１では、ＳＴ２１では、近距離通信として、電磁誘導により、ＩＣカード１０のカード側通信装置１３と、医師端末８０の医師端末側リード／ライト装置８１とが通信状態となったか否かを判断する。
ＳＴ２１で、両者が通信状態であると判断したときは、ＳＴ２２に進み、ＩＣカード１０は、図２の「カード側患者ＩＤ情報記憶部１７」に記憶されている、当該患者の「患者ＩＤ」を医師端末側リード／ライト装置８１へ送信する。
【００５８】
次いで、ＳＴ２３で、医師端末８０は、受信した「患者ＩＤ」と、図１の病院サーバ１００が有する図５の「病院サーバ側患者ＩＤ情報記憶部１０５」を参照し、病院サーバ１００に記憶されている患者と、ＩＣカード１０の使用者である患者が一致するか否かを判断する。
具体的には、図４の「医師端末側患者ＩＤ判断処理部（プログラム）８６」が判断する。
【００５９】
そして、一致した場合は，既に診察等の履歴等が存在するとして、ＳＴ２４へ進む。ＳＴ２４では、ＩＣカード１０は、図２の「カード側計測体温情報記憶部１８」内の「カード側計測体温情報」を医師端末側リード／ライト装置８１を介して、医師端末８０へ送信する。
【００６０】
次いで、ＳＴ２５へ進む。ＳＴ２５では、医師端末８０は、ＩＣカード１０から受信したカード側計測生体情報としての「カード側計測体温情報」を、必要に応じて、担当医師によるコメント，診断，アドバイス等の情報と共に、病院サーバ１００の図５の、病院サーバ側計測生体情報記憶部である「病院サーバ側計測体温情報記憶部１０６」に記憶させる。
次いで、ＳＴ２６へ進み、「病院サーバ側計測体温情報記憶部１０６」に記憶させた「カード側計測体温情報」を、図４の医師端末８０の「医師端末側ディスプレイ８４」に表示させる。
この「カード側計測体温情報」は、上述のように体温情報のみならず、その計測時刻（年・月・日・時・分）情報等も有するので、担当医師は、当該患者の診察に際し、「病院サーバ側治療・投薬等情報記憶部１０７」に記憶された情報を「医師端末側ディスプレイ８４」に表示させ、かかる情報を参考とすることができる。
【００６１】
＜入院患者での使用例＞
上述のＳＴ１〜ＳＴ２４において、ＩＣカード１０の使用者を、病院等の医療機関内の看護師等の医療従事者と置き換えることで説明でき、管理システムの構成は、図１のものと同様である。
【００６２】
ところで、本発明は、上述の実施の形態に限定されない。本実施の形態では、生体情報の後、特に体温情報を例に説明したが、上述のように、他の脈拍情報、血圧情報、血糖値情報等も同様に扱うことができる。また、携帯用の管理装置として、ＩＣカード１０を用いて説明したが、上述の実施例に限られるものではなく、電話機能・ｅ−メール機能の他にＰＤＡ機能が付いた多機能携帯電話（いわゆるスマートフォン）、ＰＤＡ（Ｐｅｒｓｏｎａｌ  Ｄｉｇｉｔａｌ  Ａｓｓｉｓｔａｎｔ）、携帯型ＰＣ（パーソナルコンピュータ）等も適用可能である。さらには、上述した生体情報計測装置の一つが携帯用の管理装置としての機能を有するものであってもよく、特に通常、携帯して用いられる歩数計、血糖計等に本発明の機能を搭載してもよい。
【符号の説明】
【００６３】
１・・・管理システム、１０・・・ＩＣカード、１１・・・カード側ディスプレイ、１２・・・カード制御部、１３・・・カード側通信装置、１５・・・カード側情報入力装置、１６・・・カード側計時装置、１７・・・カード側患者ＩＤ情報記憶部、１８・・・カード側計測体温情報記憶部、１９・・・使用者氏名検索処理部（プログラム）、２０・・・使用者ＩＤ／氏名対応情報記憶部、２１・・・時刻比較処理部（プログラム）、２２・・・時刻情報修正部（プログラム）、３０・・・体温計、３１・・・体温計制御部、３２・・・体温計電源スイッチ、３３・・・体温計側ディスプレイ、３４・・・体温計側情報入力装置、３５・・・体温計側リード／ライト装置、３６・・体温計側本体装置、３７・・・体温計側計時装置、３８・・・体温計側使用者ＩＤ記憶部、３９・・・体温情報処理部（プログラム）、４０・・・計測体温情報記憶部、４１・・・患者ＩＤ判断処理部（プログラム）、５０・・・パルスオキシメータ、６０・・・血圧計、７０・・・血糖計、８０・・・医師端末、８１・・・医師端末側リード／ライト装置、８２・・・医師端末制御部、８３・・・医師端末側通信装置、８４・・・医師端末側ディスプレイ、８５・・・医師端末側情報入力装置、８６・・・医師端末側患者ＩＤ判断処理部（プログラム）、１００・・・病院サーバ、１０１・・・病院サーバ制御部、１０２・・・病院サーバ側通信装置、１０３・・・病院サーバ側ディスプレイ、１０４・・・病院サーバ側情報入力装置、１０５・・・病院サーバ側患者ＩＤ情報記憶部、１０６・・・病院サーバ側計測体温情報記憶部、１０７・・・病院サーバ側治療・投薬等情報記憶部、１０９・・・電子カルテ
【図１】
2014119575.tif 000003
【図２】
2014119575.tif 000004
【図３】
2014119575.tif 000005
【図４】
2014119575.tif 000006
【図５】
2014119575.tif 000007
【図６】
2014119575.tif 000008
【図７】
2014119575.tif 000009
【図８】
2014119575.tif 000010
【国際調査報告】
2014119575.tif 000011
2014119575.tif 000012
2014119575.tif 000013